(57)【特許請求の範囲】
【請求項１】
複写機と撮影装置を有し、複写機の使用者を撮影装置を用いて撮影する複写機管理システムにおいて、
前記撮影装置による撮影に関して異常状態を検知する異常検知手段を有し、
前記異常検知手段が異常状態を検知したときであって、設定されたコピーモードがカラーコピーモードであれば、前記複写機の複写動作を禁止することを特徴とする複写機管理システム。
【請求項２】
前記異常状態が、前記撮影装置の電源がオフになっている状態である請求項１に記載の複写機管理システム。
【請求項３】
前記異常状態が、前記撮影装置による撮影方向が所定の方向とは異なっている状態である請求項１に記載の複写機管理システム。
【請求項４】
前記異常状態が、前記撮影装置の撮像素子が所定量以下の光量しか受光していない状態である請求項１に記載の複写機管理システム。
【請求項５】
前記異常状態が、撮影データを記憶する記憶手段の容量が不足している状態である請求項１に記載の複写機管理システム。
【発明の詳細な説明】
【０００１】
【発明の属する技術分野】
この発明は、例えば紙幣、有価証券等の複写禁止原稿を違法コピーしてこれを悪用したような場合に、複写機の使用者の追跡、特定を可能とするため、複写機の使用者を撮影装置を用いて撮影する複写機管理システムに関する。
【０００２】
【従来の技術】
この種の複写機管理システムとして、特開平７−４４７７７号に記載されているように、複写しようとする原稿が特定の条件を満たすか否か、例えば紙幣、有価証券等の複写禁止原稿であるか否かを複写機側で判断するとともに、複写禁止原稿であると判断した場合には、監視カメラを作動させてその複写機の使用者を撮影するようにしたシステムが提供されている。
【０００３】
また、一般の防犯カメラシステムと同様に、複写機が使用されているか否かにかかわらず監視カメラを常時作動させておくことも提案されている。
【０００４】
【発明が解決しようとする課題】
しかしながら、このような従来の複写機管理システムでは、撮影装置による正常撮影が困難な場合であっても複写機の使用は可能であった。このため、例えばカメラの電源を切る、カメラの向きを変える、レンズを目隠しする等により、撮影装置による撮影を意図的に回避しながら違法コピーを行うことが可能であり、このような違法コピーが行われた場合には追跡調査が困難であるという欠点があった。
【０００５】
この発明は、このような技術的背景に鑑みてなされたものであって、撮影装置による撮影を回避しつつ違法コピー等を行うことのできる不都合をなくした複写機管理システムの提供を課題とする。
【０００６】
【課題を解決するための手段】
上記課題は、複写機と撮影装置を有し、複写機の使用者を撮影装置を用いて撮影する複写機管理システムにおいて、前記撮影装置による撮影に関して異常状態を検知する異常検知手段を有し、前記異常検知手段が異常状態を検知したときであって、設定されたコピーモードがカラーコピーモードであれば、前記複写機の複写動作を禁止することを特徴とする複写機管理システムによって解決される。
【０００７】
このシステムによれば、撮影に関して異常があるときであって、設定されたコピーモードがカラーコピーモードであれば、複写機による複写動作が禁止されるから、撮影装置による撮影を意図的に回避しながら違法カラーコピーを行うことのできる不都合がなくなる。しかも、違法コピーの可能性の低いモノクロコピーモードに対しては撮影に関する異常状態が検知されても複写機を使用できることになり、違法コピー等の危険性を極力なくしながら複写機の効率的な使用が可能となる。
【０００８】
また、異常状態が、撮影装置の電源がオフになっている状態である場合には、撮影装置の電源プラグがコンセントが引き抜かれたり電源スイッチがオフにされたようなときに複写機を使用することができなくなる。
【０００９】
また、異常状態が、撮影装置による撮影方向が所定の方向とは異なっている状態である場合には、撮影装置が取り外されたり向きを変えられたようなときに複写機を使用することができなくなる。
【００１０】
また、異常状態が、撮影装置の撮像素子が所定量以下の光量しか受光していない状態である場合には、撮影装置のレンズを目隠しされたようなときに複写機を使用することができなくなる。
【００１１】
また、異常状態が、撮影データを記憶する記憶手段の容量が不足した状態である場合には、実質的に撮影ができないにも拘らず違法コピーが行われる危険性が解消される。
【００１３】
【発明の実施の形態】
図１は、この発明の一実施形態に係る複写機管理システムの全体構成を示すブロック図である。
【００１４】
この複写機管理システムは、複写機１と、撮影装置２と、コインベンダー３と、人体検知センサー４と、モニター装置５と、角度センサー６を備える。
【００１５】
前記複写機１は機構部１１、制御部１２、原稿検知センサー１３、原稿カバー開閉検知センサー１４、プリントキー１５、時計ＩＣ１６を含む。
【００１６】
前記機構部１１は、原稿の画像をスキャナーによって露光走査し、その反射光をイメージセンサにて光電変換したのち、得られた信号を画像処理して出力するイメージリーダー部１１ａと、イメージリーダー部１１ａから送られてきた画像信号に基いてプリントを行うプリンタ部１１ｂを含む。プリンタ部１１ｂは図示しない作像部、現像ユニット、給紙部等を含む。
【００１７】
前記制御部１２は、複写機全体さらには本システム全体を制御するＣＰＵ１２ａと、ＲＯＭ１２ｂと、インターフェース部１２ｃを含む。ＲＯＭ１２ｂには、紙幣等の複写禁止原稿の特徴的ないくつかの部分の画像パターンが記憶されている。
【００１８】
前記原稿検知センサー１３は、図示しない原稿台（原稿ガラス）または自動原稿送り装置（ＡＤＦ）にセットされた原稿を検知するものであり、前記原稿カバー開閉検知センサー１４は、原稿カバーの開閉を検知するものであり、前記プリントキー１５は、複写開始に際して押し操作されるものであり、いずれもインターフェース部１２ｃを介してＣＰＵ１２ａに信号を送る。これらの原稿検知センサー１３、原稿カバー開閉検知センサー１４、プリントキー１５は、公知の構成を採用すればよい。
【００１９】
前記時計ＩＣ１６はカレンダー機能を備え、これによりＣＰＵ１２ａを介して撮影日時を特定できるようになっている。
【００２０】
前記撮影装置２は、静止画を撮影するデジタルカメラ２１とこれを制御するデジタルカメラ制御部２２とを備え、ＣＰＵ１２ａからデジタルカメラ制御部２２に送られる指令に基いてデジタルカメラ２１は撮影を開始する。また、デジタルカメラ２１には撮像素子としてのＣＣＤ２１ａが内蔵されるとともに、デジタルカメラ制御部２２は、デジタルカメラ２１のレンズを通ってＣＣＤ２１に入力される受光量が所定量に達しているか否かを判断できるようになっている。また、ＣＰＵ１２ａは、デジタルカメラ制御部２２及びインターフェース部１２ｃを介して、デジタルカメラ２１の電源がオフか否かを把握できるようになっている。
【００２１】
前記コインベンダー３は、使用者が使用料金を投入するコインベンダー本体３１と、これを制御するコインベンダー制御部３２とを含み、コインベンダー本体３１に料金が投入されるとコインベンダー制御部３２はインターフェース部１２ｃを介してＣＰＵ１２ａに信号を送る。このコインベンダー本体３１に所定の料金が投入されたことで複写機１は複写可能状態となる。
【００２２】
前記人体検知センサー４は、複写機１またはその近傍に設けられており、複写機１の使用者が該センサの検出範囲内に進入したときに、これを検知して信号を出力する。人体検知センサ４としては、例えば、使用者が複写機１の前に立った時にこれを検出するように、複写機１に取り付けた反射形の光センサ、超音波センサや、複写機１の前の床面に配置し、使用者が踏むことで信号を出力する床置き型の圧力センサを例示できる。
【００２３】
前記モニター装置５は、複写機１の管理者がデジタルカメラ２１で撮影した画像をモニターするモニターテレビ５１と、デジタルカメラ制御部２２から送られてくる撮影データを記憶するメモリ５２及びハードデイスク５３と、前記モニターテレビ５１、メモリ５２、ハードデイスク５３を制御するモニター制御部５４とを含む。また、ＣＰＵ１２ａは、モニター制御部５４を介してハードディスク５３の容量をチェックできるように構成されている。
【００２４】
前記角度センサー６は、デジタルカメラ２１による撮影方向が正常か否か、つまりデジタルカメラ２１が複写機１の使用者を撮影可能な向きに向けられているか否かを検知するためのものである。即ち、デジタルカメラ２１が向きを変えられたり取り外されたときには、角度センサーから信号が出力され、これに基いてＣＰＵ１２ａはデジタルカメラ２１が向きを変えられたことを検知する。このような角度センサとしては、例えばデジタルカメラ２１の向きが変わると抵抗値が変化するように設けられたポテンショメータ式のものや、向きが変わったり取り外されるとオン、オフが切り替わるスイッチ式のものが構造簡易な点で望ましいが、これに限定されることはない。
【００２５】
図１に示す７は電話回線等の通信手段を介して複写機１、撮影装置２、モニター装置５を制御するサービスセンターであり、サービスセンター７からの指令に基づいて、任意に撮影装置２を作動させることが可能となっている。
【００２６】
次に、図１に示した複写機管理システムの動作を、図２〜図５を参照して説明する。
【００２７】
図２は上記システムの動作を説明するためのフローチャートである。
【００２８】
動作がスタートすると、まず、ＣＰＵ１２ａは以下の手順で、撮影を妨げる異常状態が存在するか否かを判断する。
【００２９】
即ち、まずステップ２０１（以下ステップをＳと略す）で、ＣＰＵ１２ａは、デジタルカメラ制御部２２を介してデジタルカメラ２１の電源がオンか否か判断する。オンであれば（Ｓ２０１にて、ＹＥＳ）、次にＳ２０２で、デジタルカメラ２１の撮影方向が正常であるか否かを角度センサー６からの信号により判断する。
【００３０】
撮影方向が正常であれば（Ｓ２０２にて、ＹＥＳ）、次にＳ２０３でＣＣＤ２１ａの受光量が所定量に達しているか否かを判断する。所定量に達していれば  （Ｓ２０３にて、ＹＥＳ）、Ｓ２０４でハードディスク５３の容量がフル（この実施形態では、ディスク使用率が１００％またはこれに近い値をいう）であるか否かを判断する。ハードディスク５３の容量がフルでなければ（Ｓ２０４にて、ＮＯ）、撮影データを記憶可能であり、かつ撮影に対して異常がなく正常な撮影を行い得るものとして、Ｓ２０５に進み複写動作を開始したのち、本ルーチンは終了する。
【００３１】
一方、Ｓ２０１で、デジタルカメラ２１の電源がオフである場合には（Ｓ２０１にて、ＮＯ）、電源を切られた恐れがあるものとして、また、デジタルカメラ２１の撮影方向が正常でない場合には（Ｓ２０２にて、ＮＯ）、デジタルカメラ２１が向きを変えられあるいは取り外された恐れがあるものとして、また、ＣＣＤ２１ａの受光量が所定量以下である場合には（Ｓ２０３にて、ＮＯ）、デジタルカメラのレンズを目隠しされた恐れがあるものとして、また、ハードディスク５３の容量がフルの場合には（Ｓ２０４にて、ＹＥＳ）、撮影データを記憶できず実質的に撮影不可能であるものとして、いずれも複写動作を行うことなくＳ２０６に進む。
【００３２】
Ｓ２０６では、複写機１で設定されたコピーモードがカラーコピーモードか否かが判断される。カラーコピーモードであれば（Ｓ２０５にて、ＹＥＳ）、Ｓ２０７で複写機１の複写動作を禁止したのち、本ルーチンは終了する。一方、カラーコピーモードでなければ（Ｓ２０６にて、ＮＯ）、違法コピーの恐れが少ないものとしてＳ２０５に進み、複写動作を開始する。
【００３３】
このようにして、撮影装置による複写機の使用者の撮影に関してこれを妨げる異常が存在するか否かを判断したのち、異常が存在する場合はさらに、違法コピーの可能性の高いカラーコピーモードによる複写動作を禁止するから、撮影を回避しつつ違法コピー等を行うことが防止される。なお、複写機１の複写動作を禁止する方法としては、プリントキー１５の操作を不可能にするとか、複写機１の動作を停止させる等の方法がある。
【００３４】
図３は、図２に示したフローチャートにおけるＳ２０５のコピー開始処理の内容を示すフローチャートである。
【００３５】
まず、Ｓ３０１において、複写機１のＣＰＵ１２ａは原稿ガラス上または自動原稿送り装置に原稿がセットされたか否かを、原稿検知センサー１３からの信号に基いて判断する。原稿がセットされていれば（Ｓ３０１にて、ＹＥＳ）、Ｓ３０５で使用者を撮影するための撮影処理を行う。撮影処理については後述する。原稿がセットされていなければ（Ｓ３０１にて、ＮＯ）、Ｓ３０２で原稿カバーが閉じられたか否かを、原稿カバー開閉検知センサー１４からの信号に基いて判断する。
【００３６】
原稿カバーが閉じられていれば（Ｓ３０２にて、ＹＥＳ）、Ｓ３０５で撮影処理を行う。閉じられていなければ（Ｓ３０２にて、ＮＯ）、Ｓ３０３でコインベンダー本体３１に料金が投入されたか否かを判断する。投入されていれば（Ｓ３０３にて、ＹＥＳ）、Ｓ３０５で撮影処理を行う。投入されていなければ（Ｓ３０３にて、ＮＯ）、Ｓ３０４で人体検知センサー４からの信号に基づいて使用者を検出したか否かが判断される。検出した場合には（Ｓ３０４にて、ＹＥＳ）、Ｓ３０５で撮影処理を行う。検出していなければ（Ｓ３０４にて、ＮＯ）、Ｓ３０１に戻る。
【００３７】
Ｓ３０５の撮影処理後、Ｓ３０６でプリントキー１５が押されたか否かを判断する。押されたときには（Ｓ３０６にて、ＹＥＳ）、Ｓ３０７でさらに撮影処理を行う。押されていない場合には（Ｓ３０６にて、ＮＯ）、押されるまで待つ。
【００３８】
こうして、この実施形態では、使用者が人体検知センサー４による検出域内に進入したとき、コインベンダー本体３１に料金を投入したとき、原稿台または自動原稿送り装置に原稿をセットしたとき、セット後原稿カバーを閉じたときのいずれかのタイミング、及びプリントキー１５が押されたときのタイミングで撮影処理が行われる。つまり、これらの動作は、使用者が複写機１の使用に際して必ず行わなければならないものであり、このような必然的になされる行為に基いて、複写機１が起動する前に確実に撮影を行うことができる。かつまた、それらのタイミングが発生する以前には、撮影処理は行われていないから、無駄な撮影データは生じない。
【００３９】
Ｓ３０７の撮影処理後、Ｓ３０８で複写機１は原稿の読み込み及びプリントを行う。そして、Ｓ３０９で、ＣＰＵ１２ａは読み込んだ画像データとＲＯＭ１２ｂに予め記憶されている紙幣等の複写禁止原稿の特徴的部分の画像パターンとを照合し、違法コピーであるか否かを判断する。違法コピーと認識したときは（Ｓ３０９にて、ＹＥＳ）、Ｓ３１０でさらに撮影処理を行う。
【００４０】
Ｓ３１０の撮影処理後、本ルーチンはリターンする。また、Ｓ３０９で違法コピーでないと判断された場合にも（Ｓ３０９にて、ＮＯ）、本ルーチンはリターンする。
【００４１】
図４は、図３に示したフローチャートにおけるＳ３０５、Ｓ３０７、Ｓ３１０の各撮影処理の内容を示すフローチャートである。
【００４２】
まず、Ｓ４０１で、デジタルカメラ２１を作動させて撮影を開始したのち、Ｓ４０２で、デジタルカメラ制御部２２はデジタルカメラ２１による撮影データをモニター制御部５４に出力する。一方、Ｓ４０３で、ＣＰＵ１２ａは、時計ＩＣ１６による日付、時刻の情報及び複写に際して設定されたコピーモードの情報をモニター制御部５４に出力し、モニター制御部５４は送られてきたこれらの撮影データ及び情報をメモリ５２に格納する。
【００４３】
次に、Ｓ４０４で、モニター制御部５４はハードディスク５３の容量チェックを行い、ニアフルか否かを判断する。その結果、ニアフル（この実施形態ではディスク使用率が８０％以上）であると判断された場合には（Ｓ４０４にて、ＹＥＳ）、Ｓ４０５でモニターテレビ５１に警告を表示したのち、Ｓ４０６で前記撮影データ及び日付等の情報をハードディスク５３に格納したのち、本ルーチンはリターンする。なお、前記警告は視覚的表示によらず音による聴覚的表示によっても良い。
【００４４】
一方、Ｓ４０４でハードディスク５３の容量チェックの結果、ニアフルでないと判断された場合にも（Ｓ４０４にて、ＮＯ）、Ｓ４０６で前記撮影データ及び日付等の情報をハードディスク５３に格納したのち、本ルーチンはリターンする。
【００４５】
図５は図４の撮影処理におけるＳ４０１の撮影開始処理のサブルーチンを示すものである。
【００４６】
まずＳ５０１で、ＣＰＵ１２ａはシャッターＯＮ信号をデジタルカメラ制御部２２に送信する。デジタルカメラ制御部２２は、続いて、Ｓ５０２でデジタルカメラ２１のシャッターをＯＮして、静止画像を取り込む。
【００４７】
以上に本発明の実施形態を説明したが、本発明は上記実施形態に限定されるものではない。例えば、撮影装置による撮影に関する異常状態として、デジタルカメラ２１の電源がオフである状態、デジタルカメラ２１の撮影方向が正常でない状態、ＣＣＤ２１ａの受光量が所定量以下である状態、ハードディスク５３の容量が不足している状態を例示したが、これらのうちの１つ、あるいは任意の組み合わせの２つまたは３つを検出する構成としても良いし、ほかに例えば撮影装置の一部が故障のため実質的に撮影できないような状態を異常状態として検出しても良い。
【００４８】
また、異常状態を検出しさらに複写機のモードがカラーコピーモードである場合のみ複写動作を禁止したが、異常状態を検出した場合にはモードに関係なく複写動作を禁止するように構成しても良い。
【００４９】
また、撮影装置２におけるデジタルカメラに代えてビデオカメラを用い、このビデオカメラにより撮影を行う構成としても良い。この場合、前記実施形態と同様に、所定のタイミングでビデオカメラを作動させ、その撮影データをメモリ５２やハードディスク５３等の記憶装置に記憶させても良い。また、ビデオカメラを常時作動させておいて、連続的な撮影データをメモリ５２やハードディスク５３に記憶させても良いし、連続的な撮影データをメモリ５２に記憶させるとともに、所定のタイミングにおいてメモリ５２の撮影データをハードディスク５３に記憶させるように構成しても良い。
【００５０】
この発明によれば、撮影装置による撮影に関して異常検知手段により異常状態が検知されたときであって、設定されたコピーモードがカラーコピーモードである場合には、前記複写機の複写動作を禁止するから、撮影を意図的に回避してカラーコピーを行うことができなくなる。従って、違法コピー等を行った者に対する撮影データを確実に残すことができ、追跡調査及び特定を容易に行うことができる。しかも、違法コピーの可能性の低いモノクロコピーモードに対しては撮影に関する異常状態が検知されても複写機を使用できることになり、違法コピー等の危険性を極力なくしながら複写機の効率的な使用が可能となる。
【００５１】
また、異常状態が撮影装置の電源がオフになっている状態である場合には、撮影装置のコンセントが引き抜かれたり電源スイッチがオフにされたようなときに複写機を使用することができなくなり、撮影を回避しての違法コピー等をより効果的に防止することができる。
【００５２】
また、異常状態が撮影装置による撮影方向が所定の方向とは異なっている状態である場合には、撮影装置が取り外されたり向きを変えられたようなときに複写機を使用することができなくなり、撮影を回避しての違法コピー等をより効果的に防止することができる。
【００５３】
また、異常状態が撮影装置の撮像素子が所定量以下の光量しか受光していない状態である場合には、撮影装置のレンズを目隠しされたようなときに複写機を使用することができなくなり、撮影を回避しての違法コピー等をより効果的に防止することができる。
【００５４】
また、異常状態が撮影データを記憶する記憶手段の容量が不足した状態である場合には、実質的に撮影ができないにも拘らず違法コピー等が行われる危険性を解消することができる。
【図面の簡単な説明】
【図１】この発明の一実施形態に係る複写機管理システムの全体構成を示すブロック図である。
【図２】図１の複写機管理システムの動作を示すフローチャートである。
【図３】図２のフローチャートにおけるコピー開始処理のサブルーチンを示すフローチャートである。
【図４】図３のフローチャートにおける撮影処理のサブルーチンを示すフローチャートである。
【図５】図４のフローチャートにおける撮影開始処理のサブルーチンを示すフローチャートである。
【符号の説明】
１…複写機
２…撮影装置
３…コインベンダー
５…モニター装置
６…角度センサー
７…サービスセンター
１２ａ…ＣＰＵ
１３…原稿検知センサー
１４…原稿カバー開閉検知センサー
１５…プリントキー
１６…時計ＩＣ
２１…デジタルカメラ
２１ａ…ＣＣＤ
２２…デジタルカメラ制御部
３１…コインベンダー本体
３２…コインベンダー制御部
５１…モニターテレビ
５２…メモリ
５３…ハードディスク
５４…モニター制御部
【図１】
0003812122.tif 000002
【図２】
0003812122.tif 000003
【図３】
0003812122.tif 000004
【図４】
0003812122.tif 000005
【図５】
0003812122.tif 000006